(57)【要約】【課題】  ユーザにとって着目点が分かりやすいスロー動画を記録する。【解決手段】  撮像手段と、前記撮像手段から出力された動画データを記憶するメモリと、前記メモリから読み出された動画データを記録する記録手段と、前記撮像手段が動画データの再生フレームレートよりも高いフレームレートの動画データを出力し、所定時間の前記高い第１のフレームレートの動画データを前記メモリに記憶した後、前記メモリに記憶された前記所定時間の動画データをスロー動画データとして記録するスロー動画撮影モードにおいて、前記メモリに記憶された動画データのフレームレートを、所定の基準点から所定の単位時間ごとに、前記第１のフレームレートよりも低い第２のフレームレートまで段階的に変化させた前記スロー動画データを生成するように制御を行う制御手段とを備える。【選択図】  図１
2018195892.tif 000002
【特許請求の範囲】
【請求項１】
撮像手段と、
前記撮像手段から出力された動画データを記憶するメモリと、
前記メモリから読み出された動画データを記録する記録手段と、
前記撮像手段が動画データの再生フレームレートよりも高いフレームレートの動画データを出力し、所定時間の前記高い第１のフレームレートの動画データを前記メモリに記憶した後、前記メモリに記憶された前記所定時間の動画データをスロー動画データとして記録するスロー動画撮影モードにおいて、前記メモリに記憶された動画データのフレームレートを、所定の基準点から所定の単位時間ごとに、前記第１のフレームレートよりも低い第２のフレームレートまで段階的に変化させた前記スロー動画データを生成するように制御を行う制御手段とを備える撮像装置。
【請求項２】
前記スロー動画撮影モードにおいて、前記制御手段は、前記撮影指示があった時点から前記所定時間の前記第１のフレームレートの動画データを前記メモリに記憶した後、前記メモリへの記憶を停止し、前記撮影指示があった時点を前記基準点とすることを特徴とする請求項１に記載の撮像装置。
【請求項３】
前記スロー動画撮影モードにおいて、前記制御手段は、前記撮影指示の前に前記所定時間の前記第１のフレームレートの動画データを繰り返し前記メモリに記憶し、前記撮影指示に応じて前記メモリへの記憶を停止し、前記撮影指示があった時点を前記基準点とすることを特徴とする請求項１に記載の撮像装置。
【請求項４】
前記メモリに記録された動画データのうち、高速遷移シーンを検出する手段を備え、
前記制御手段は、前記検出された高速遷移シーンを前記基準点とすることを特徴とする請求項１に記載の撮像装置。
【請求項５】
前記制御手段は、前記基準点から所定の期間はフレームレートを変更せず、前記第１のフレームレートであるスロー動画を生成することを特徴とする請求項１に記載の撮像装置。
【請求項６】
前記スロー動画を表示する表示部を備え、
前記制御手段は、前記表示されたスロー動画のうち、ユーザにより指示されたフレームを前記基準点とすることを特徴とする請求項１に記載の撮像装置。
【発明の詳細な説明】
【技術分野】
【０００１】
本発明は撮像装置に関する。
【背景技術】
【０００２】
従来、動画の撮像を行うデジタルカメラやビデオカメラなどの撮像装置では、通常６０フレーム枚秒（ｆｐｓ）程度のフレームレートで動画を撮像し、記録する。記録された動画に対し、再生速度を遅くしたスロー動画を再生する機能が搭載されているものもあるが、この場合、スロー動画の再生時のフレームレートは記録時のフレームレートよりも低くになる。従って、例えば６０ｆｐｓ程度のフレームレートで記録した動画を１／１０倍速でスロー再生すると、再生時のフレームレートは６ｆｐｓ程度の非常に低速なフレームレートで再生することになり、滑らかな動きで再生することができない。
【０００３】
これに対し、例えば特許文献１では、通常よりも超高速なフレームレート（９６０ｆｐｓなど）で動画を記録することで、スロー動画を６０ｆｐｓ程度のフレームレートを保ちながら、滑らかな動きで再生することを可能にする技術が開示されている。
【先行技術文献】
【特許文献】
【０００４】
【特許文献１】特開２０１５−１３６０９３号公報
【発明の概要】
【発明が解決しようとする課題】
【０００５】
スロー動画を一定のフレームレートで再生する際、スロー動画を記録した際のフレームレートが高速になればなるほど、スロー動画の再生時間は、記録した実時間よりも長くなる。そのため、上述の特許文献に開示された従来技術のように、超高速なフレームレートで記録する場合には、再生時間の長時間化はより顕著になる。
【０００６】
例えば９６０ｆｐｓで記録した動画を６０ｆｐｓで再生する場合、再生時間は記録した実時間の１６倍の長さとなる。またスロー動画は全体的に被写体の動きが遅く、構図の動きが少ない動画となることが多いため、長時間の再生では着目点が分かりづらく、視聴者に退屈な印象を与えてしまう場合がある。
【０００７】
そこで、本発明は、視聴者にとって着目点が分かりやすいスロー動画を記録可能にした撮像装置を提供することを目的とする。
【課題を解決するための手段】
【０００８】
撮像手段と、前記撮像手段から出力された動画データを記憶するメモリと、前記メモリから読み出された動画データを記録する記録手段と、前記撮像手段が動画データの再生フレームレートよりも高いフレームレートの動画データを出力し、所定時間の前記高い第１のフレームレートの動画データを前記メモリに記憶した後、前記メモリに記憶された前記所定時間の動画データをスロー動画データとして記録するスロー動画撮影モードにおいて、前記メモリに記憶された動画データのフレームレートを、所定の基準点から所定の単位時間ごとに、前記第１のフレームレートよりも低い第２のフレームレートまで段階的に変化させた前記スロー動画データを生成するように制御を行う制御手段とを備える。
【発明の効果】
【０００９】
本発明によれば、着目点が分かりやすいスロー動画を記録可能にした撮像装置を提供することができる。
【図面の簡単な説明】
【００１０】
【図１】第１の実施形態における撮像装置を示すブロック図である。
【図２】スロー動画記録時のフローチャートである。
【図３】フレームレートの遷移を表す図である。
【図４】スロー動画記録時のフローチャートである。
【図５】フレームレートの遷移を表す図である。
【図６】第３の実施形態における撮像装置を示すブロック図である。
【図７】スロー動画記録時のフローチャートである。
【図８】フレームレートの遷移を表す図である。
【図９】フレームレートの遷移を表す図である。
【発明を実施するための形態】
【００１１】
以下に、本発明の好ましい実施形態を、添付の図面に基づいて詳細に説明する。
【００１２】
＜第１の実施形態＞
図１は、本発明の第１の実施形態における撮像装置１００の構成を示すブロック図である。撮像処理部１０１は被写体光を撮像して画像信号を生成する。信号処理回路１０２は画像信号を処理し、動画ファイルを生成する。画素部１０３は被写体光を電気信号に変換するためのＣＣＤやＣＭＯＳなどの撮像素子である。Ａ／Ｄ変換回路１０４は画素部１０３から出力されるアナログ信号をデジタル信号に変換する。タイミング発生回路１０５は後述するＣＰＵ１１１により制御され、画素部１０３、Ａ／Ｄ変換回路１０４にクロック信号や制御信号を供給する。
【００１３】
メモリ制御部１０６は後述するフレームメモリ１１０への読み書き処理を制御する。制御Ｉ／Ｆ部１０７は後述するＣＰＵ１１１からの制御にもとづき撮像処理部１０１を制御する。出力Ｉ／Ｆ部１０８はメモリ制御部１０６から出力される画像信号を信号処理回路部１０２内の入力Ｉ／Ｆ部１１２へ送信する。フレームレート変換処理部１０９は、フレームメモリ１１０に格納された画像信号のフレームレートを変更する。フレームメモリ１１０はＡ／Ｄ変換回路１０４によりデジタル化された画像信号を一時記録するメモリであり、ＤＲＡＭ等で構成される。
【００１４】
ＣＰＵ１１１は撮像装置１００の全ての動作を統括し制御する。入力Ｉ／Ｆ部１１２は出力Ｉ／Ｆ部１０８から画像信号を受け取り、動画信号処理部１１３へ送信する。動画信号処理部１１３は入力Ｉ／Ｆ部１１２から受け取った画像信号に対して現像処理および動画生成処理を行う。ワークメモリ１１４は動画信号処理部１１３等のワークエリアとして使用される一時記録領域としてのメモリであり、ＤＲＡＭ等で構成される。
【００１５】
操作部１１５はユーザが撮像装置１００の設定等を行うための各種のスイッチやボタンなどを有する。表示部１１６は撮像装置１００の各種設定画面や撮像された動画を表示する。記録装置Ｉ／Ｆ１１７はメモリカードやハードディスク等の外部記録装置とのインターフェイスである。コネクタ１１８はメモリカードやハードディスク等との外部記録装置と接続を行う。
【００１６】
記録装置１２０はメモリカードやハードディスク等の外部記録装置である。コネクタ１２１は撮像装置１００との接続を行う。Ｉ／Ｆ１２２は撮像装置１００とのインターフェイスである。記録部１２３は動画を記録する。
【００１７】
本実施形態では、撮像装置１００は外部記録装置１２０を取り付けるＩ／Ｆ及びコネクタを一系統持つものとして説明している。外部記録装置１２０を取り付けるＩ／Ｆ及びコネクタは、単数或いは複数、いずれの系統数を備える構成としても構わない。また、異なる規格のＩ／Ｆおよびコネクタを組み合わせて備える構成としても構わない。
【００１８】
また本実施形態では、撮像処理部１０１用のフレームメモリ１１１と信号処理回路部１０２用のワークメモリ１１４を別個に備える構成としている。撮像処理部１０１と信号処理回路部１０２が１つのメモリを共有する構成としても構わない。
【００１９】
次に、撮像装置１００の記録処理について説明する。撮像装置１００は、通常の撮影モードと、スロー動画撮影モードを持つ。まず、通常の撮影モードを説明する。
【００２０】
操作部１１５が操作され、電源がオンになると、ＣＰＵ１１１は各部を制御して撮像装置１００を記録待機状態にする。記録待機状態において、画素部１０３からは所定のフレームレートの動画データが出力され、Ａ／Ｄ変換回路１０４によりデジタル信号に変換されてメモリ制御部１０６に出力される。本実施形態では、記録待機状態では、３０ｆｐｓの動画データが出力される。また、動画データの１フレームの画素数は、水平１９２０画素×垂直１０８０画素とするが、これ以上の画素数としてもよい。
【００２１】
メモリ制御部１０６は、出力された動画データを出力Ｉ／Ｆ部１０８を介して信号処理回路１０２の入力Ｉ／Ｆ部１１２に出力する。入力Ｉ／Ｆ部１１２は入力された動画データを画像信号処理部１１３に送る。動画信号処理部１１３は入力された動画データに対して前記の様な所定の画像処理を施した後、ライブビュー画像として表示部１１６に表示する。
【００２２】
このような記録待機状態において操作部１１５が操作され、ユーザにより動画の記録指示があると動画の記録が開始される。ＣＰＵ１１１は、動画の記録開始の指示に応じて各部を制御し、動画の記録を開始する。記録開始の指示があると、画素部１０３からは６０ｆｐｓの動画データが出力され、Ａ／Ｄ変換回路１０４によりデジタル信号に変換されてメモリ制御部１０６に出力される。通常の記録モードでは、フレームレートの変換処理を行わないので、メモリ制御部１０６は、入力された動画データをそのまま出力Ｉ／Ｆ部１０８に出力する。
【００２３】
出力Ｉ／Ｆ部１０８は動画データを信号処理回路１０２の入力Ｉ／Ｆ部１１２に出力する。入力Ｉ／Ｆ部１１２は入力された動画データを画像信号処理部１１３に送る。動画信号処理部１１３は入力された動画データに対して前記の様な所定の画像処理を施し、Ｉ／Ｆ部１１７を介して記録装置１２０に出力して記録部１２３に記録する。本実施形態では、動画データをＦＡＴファイルシステムのような所定のファイルシステムに従い、ファイルとして記録する。動画データは、ＭＰ４やＭＯＶなどの公知のコンテナ形式の動画ファイルとして記録される。
【００２４】
このように記録が開始された後、ユーザにより操作部１１５が操作され、記録停止の指示があると、ＣＰＵ１１１は各部を制御して動画の記録を停止する。
【００２５】
次に、スロー動画撮影モードについて説明する。スロー動画撮影モードでは、動画の再生フレームレートよりも高いフレームレートの動画を撮影、記録する。例えば、本実施形態では、９６０ｆｐｓの動画を撮影して記録する。この９６０ｆｐｓの動画を、再生時に６０ｆｐｓで表示すると、１／１６倍速のスロー動画として表示される。
【００２６】
また、撮像装置１００は、９６０ｆｐｓの動画データをリアルタイムに処理して記録するための能力を持たない。そのため、撮像装置１００では、スロー動画撮影モードにおいては、画素部１０３により得られた９６０ｆｐｓの動画データを一旦フレームメモリ１１０に記憶する。そして、フレームメモリ１１０に所定時間分の９６０ｆｐｓの動画データが記憶されると動画の撮影及びフレームメモリ１１０への記憶を停止する。その後、フレームメモリ１１０に記憶された所定時間分の動画データを読み出して処理を行い、記録装置１２０に記録する。フレームメモリ１１０は、２秒間の９６０ｆｐｓの動画データを記憶可能な容量を持つ。従って、２秒分の動画データがフレームメモリ１１０に記憶され、スロー動画データとして記録される。
【００２７】
次に、上記構成を有する撮像装置１００を用いてスロー動画撮影を行う場合の動作について図２のフローチャートを用いて説明する。図２のフローチャートに示す処理は、撮像装置１００のＣＰＵ１１１が、撮像装置１００の各部を制御することにより実現される。図２のフローチャートは、撮像装置１００の図示しない電源スイッチがＯＮかつ、撮像装置１００がスロー動画撮影モードに設定されている状態であるときに実行される。
【００２８】
記録待機状態において、ＣＰＵ１１１は、操作部１１５からのスロー動画撮影指示を検出する（Ｓ２０１）。スロー動画撮影指示を検出した場合、スロー動画撮影指示が検出されていない場合は、検出するまでＳ２０１を繰り返す。スロー動画撮影指示を検出すると、画素部１０３から取り込んだ信号に対してＡ／Ｄ変換回路１０４がＡ／Ｄ変換処理を行い、フレームメモリ１１０への画像信号の格納を開始する（Ｓ２０２）。このとき、前述のように、画素部１０３は９６０ｆｐｓの動画データを出力する。
【００２９】
次に、ＣＰＵ１１１は、動画データの記憶を開始してから所定時間αが経過したかどうかを判定する（Ｓ２０３）。所定時間αは、フレームメモリ１１０に格納可能なフレーム枚数と、スロー動画記録時のフレームレートによって最大値が決定し、最大値を超えない範囲でユーザにより予め設定されることとする。本実施形態では、前述のように、フレームメモリ１１０が２秒分の９６０ｆｐｓの動画を記憶可能な容量を持つ。そのため、所定時間αを２秒とする。
【００３０】
所定時間α経過していないと判定した場合、所定時間α経過するまでフレームメモリ１１０への画像信号の格納を続ける。所定時間α経過したと判定した場合、フレームメモリ１１０への動画データの格納を停止する（Ｓ２０４）。次に、フレームメモリ１１０に格納された動画データのうち、最初に格納したフレームから順に、単位時間分の動画データをフレームメモリ１１０から読み出す（Ｓ２０５）。
【００３１】
動画信号処理部１１３は読み出された単位時間分の動画データに対して現像処理を行い、ワークメモリ１１４に格納する（Ｓ２０６）。ＣＰＵ１１１は、フレームメモリ１１０に現像処理がまだ行われていないフレームが無いかどうかを判定する（Ｓ２０７）。未処理のフレームがフレームメモリ１１０に残っている場合、フレームメモリ１１０に格納されている未処理の画像信号のうち、次の単位時間分の動画データに対し、フレームレート変更処理部１０９が所定の間隔での間引き処理を指示する。間引き処理の詳細については後述する。間引き処理完了後、Ｓ２０５に戻る。
【００３２】
フレームメモリ１１０に未処理のフレームが記憶されていない場合、動画信号処理部１１３が、ワークメモリ１１４に格納されている動画データを読み出し、動画ファイルとして記録するための処理を行う（Ｓ２０９）。次に、動画信号処理部１１３が生成した動画データを記録部１２３に記録し、スロー動画撮影処理は終了する（Ｓ２１０）。
【００３３】
Ｓ２０８で行われる間引き処理について、図３を用いて説明する。図３（ａ）に示すグラフは、スロー動画の撮影指示の時点を基準点として、基準点からの時間によって、動画内のフレームレートが変化する様子を表している。図３（ａ）に示す例では、９６０ｆｐｓ（第１のフレームレート）で２秒間撮影した動画に対し、単位時間ｔ０ごとに、スロー動画の撮影指示の時点から順にフレームレートをｆ０ずつ、６０ｆｐｓ（第２のフレームレート）まで低下させている。ここでは例として、ｔ０は１／８秒、ｆ０は６０フレームとしている。
【００３４】
フレームメモリ１１０に格納されている動画データの模式図を図３（ｂ）（ｃ）に示す。図中の３０１は、１フレームを表している。図３（ｂ）のＦ１〜Ｆ１２０は、スロー動画撮像指示時点、すなわちスロー動画記録開始時点よりｔ０（１／８秒）分の動画データであり、１２０フレームとなる。Ｆ１〜Ｆ１２０は、スロー動画記録開始時点より最初のｔ０時間分のフレームなので、間引き処理されずに格納されている。１回目のＳ２０６では、Ｆ１〜Ｆ１２０が現像処理される。
【００３５】
図３（ｃ）のＦ１２１〜Ｆ２４０は、スロー動画記録開始時点よりｔ０（１／８秒）後からさらに後のｔ０（１／８秒）分の動画データであり、１２０フレーム分である。Ｓ２０８において、Ｆ１２１〜Ｆ２４０は、９６０ｆｐｓよりもｆ０（６０ｆｐｓ）低下させた９００ｆｐｓになるように１５／１６に間引きされて読み出される。図３（ｃ）の例では、Ｆ１３６、Ｆ１５２、・・・、Ｆ２４０を読み出さずに削除することによって、１５／１６の間引き処理を実現している。その後、２回目のＳ２０６において、Ｆ１２１〜Ｆ２４０のうちＦ１３６、Ｆ１５２、・・・、Ｆ２４０を間引いたフレームが現像処理される。
【００３６】
このように、撮影された時間が、スロー動画撮影指示時点すなわちスロー動画記録開始時点より離れるほど、フレームレートが低くなるように段階的にフレームレートを低下させることでスロー動画内にフレームレートの高低差ができる。そのため、フレームレートが高いフレーム付近が強調された動画となり、視聴者にとって着目点が分かりやすいスロー動画となる。
【００３７】
このように本実施形態によれば、スロー動画記録開始時点が最高速フレームレートとなるようにフレームレートを段階的に変化させたスロー動画を生成することができるため、ユーザに対して着目点が分かりやすいスロー動画を提供することができる。
【００３８】
＜第２の実施形態＞
第１の実施形態では、スロー動画撮影指示時点をスロー動画記録開始時点とし、スロー動画撮影指示時点から所定時間分の動画データをフレームメモリ１１０に格納し、スロー動画を生成する構成について説明した。本実施形態では、スロー動画撮影指示時点をスロー動画記録終了時点とし、スロー動画撮影指示を検出した時点までの所定時間分の画像信号をフレームメモリ１１０に格納し、スロー動画を生成する構成について説明する。
【００３９】
なお、本実施形態は第１の実施形態と共通する部分が多いため、本実施形態特有の部分を中心に説明し、図１と同様の内容を示す箇所は同一の参照番号を用い、説明を省略する。本実施形態における撮像装置１００を用いてスロー動画撮影を行う場合の動作について図４のフローチャートを用いて説明する。
【００４０】
図４のフローチャートは、図２と同様、撮像装置１００の図示しない電源スイッチがＯＮかつ、撮像装置１００がスロー動画撮影モードに設定されている状態であるときに実行される。
【００４１】
まず、画素部１０３から取り込んだ信号に対してＡ／Ｄ変換回路１０４がＡ／Ｄ変換処理を行い、生成された動画データをフレームメモリ１１０に連続的に格納する（Ｓ４０１）。この時、フレームメモリ１１０に空き領域が無くなった場合は、一番古い画像信号が書き込まれている領域に新しい画像信号を書き込む、リングバッファ形式で格納する。次に、ＣＰＵ１１１は、操作部１１５からのスロー動画撮影の指示を検出する（Ｓ４０２）。スロー動画撮影指示を検出した場合、フレームメモリ１１０への動画データの格納を停止する（Ｓ４０３）。
【００４２】
次に、フレームメモリ１１０に格納された動画データのうち、最後に格納した画像信号から順に、単位時間分の画像信号をフレームメモリ１１０から読み出す（Ｓ４０４）。Ｓ４０５〜Ｓ４０９は、Ｓ２０６〜Ｓ２１０と同様のため説明を省略する。ただしステップＳ４０７で行われる間引き処理は、スロー動画内のフレームレートの遷移がステップＳ２０８と異なるため、図５を用いて説明する。
【００４３】
図５に示すグラフは、スロー動画撮影指示時点からの時間によって、スロー動画内のフレームレートが変化する様子を表している。本実施形態では、スロー動画撮影指示時点がスロー動画記録終了時点となる点が第１の実施形態と異なる。図５に示す例では、９６０ｆｐｓで２秒間撮影した動画に対し、単位時間ｔ０ごとに、スロー動画撮影指示時点から遡ってフレームレートをｆ０ずつ、６０ｆｐｓまで低下させている。
【００４４】
間引き処理時のフレームメモリ１１０内は、図３（ｂ）、（ｃ）で示した模式図と同様のため、説明を省略する。
【００４５】
このように、撮影された時間が、スロー動画撮影指示時点すなわちスロー動画記録終了時点に近いほど、フレームレートが高くなるように段階的にフレームレートを上昇させることでスロー動画内にフレームレートの高低差ができる。そのため、フレームレートが高いフレーム付近が強調された動画となり、視聴者にとって着目点が分かりやすいスロー動画となる。
【００４６】
このように本実施形態によれば、スロー動画記録終了時点が最高速フレームレートとなるようにフレームレートを段階的に変化させたスロー動画を生成することができる。そのため、スロー動画記録終了時点が最もユーザが着目したい時点の場合においても、ユーザに対して着目点が分かりやすいスロー動画を提供することができる。
【００４７】
＜第３の実施形態＞
第１および第２の実施形態では、スロー動画撮影指示時点を基準にフレームレートを変化させる構成について説明した。第３の実施形態では、フレームメモリ１１０に格納した画像信号から高速遷移シーンを検出し、高速遷移シーンを基準としてフレームレートを変化させる構成について説明する。なお、本実施形態は第１の実施形態と共通する部分が多いため、本実施形態特有の部分を中心に説明し、図１と同様の内容を示す箇所は同一の参照番号を用い、説明を省略する。
【００４８】
図６は、本発明の第３の実施形態における撮像装置１００の構成を示すブロック図である。高速遷移検出部６０１は、フレームメモリ１１０に格納された画像信号から高速遷移シーンを検出する。高速遷移検出部６０１は、動画信号処理部１１３が行う現像処理よりも簡易的な現像処理を行い、画像内の被写体が高速で遷移しているシーンすなわち高速遷移シーンを検出する。
【００４９】
高速遷移検出部６０１は、フレームメモリ１１０に格納されている簡易的に現像処理を施した動画データに対して、前後フレームを比較することで、画像内の被写体が高速で遷移したかどうかを検出する。本実施例においては、前後フレームの画像信号を画素ごとに比較し、差分の絶対値の総和が一番大きいシーンを高速遷移シーンとする方法とする。ここでは画素ごとに差分を算出する方法としたが、高速遷移シーンの検出方法としてはこれに限らない。
【００５０】
本実施形態ではスロー動画撮影指示時点をスロー動画記録開始時点とする第１の実施形態を基にした構成しているが、スロー動画撮影指示時点をスロー動画記録終了時点とする第２の実施形態を基にした構成としてもよい。
【００５１】
図７のフローチャートは、図２および図４と同様、撮像装置１００の図示しない電源スイッチがＯＮかつ、撮像装置１００がスロー動画撮影モードに設定されている状態であるときに実行される。Ｓ７０１〜Ｓ７０４は、Ｓ２０１〜Ｓ２０４と同様のため説明を省略する。
【００５２】
Ｓ７０５では、高速遷移検出部６０１が、フレームメモリ１１０に格納されている動画データに高速遷移シーンが含まれているか否かを判定する。高速遷移シーンが含まれていない場合は、Ｓ７０１に進む。
【００５３】
高速遷移シーンが含まれている場合、高速遷移検出部６０１がフレームメモリ１１０に格納されている動画データのうち高速遷移シーンを検出する（Ｓ７０６）。次に、最初に格納した画像信号から順に、単位時間分の画像信号をフレームメモリ１１０から読み出す（Ｓ７０７）。
【００５４】
Ｓ７０８〜Ｓ７１２は、Ｓ２０６〜Ｓ２１０と同様のため説明を省略する。ただしＳ７１０で行われる間引き処理は、スロー動画内のフレームレートの遷移がＳ２０８と異なるため、図８を用いて説明する。
【００５５】
図８に示すグラフは、高速遷移シーンからの時間によって、スロー動画内のフレームレートが変化する様子を表している。本実施形態では、最高速フレームレートとなるフレームが、スロー動画撮影指示時点ではなく高速遷移シーンとなる点が第１の実施形態と異なる。図８に示す例では、９６０ｆｐｓで２秒間記録した動画に対し、単位時間ｔ０ごとに、高速遷移シーンからスロー動画記録開始時点まで遡ってフレームレートをｆ０ずつ、７８０ｆｐｓまで低下させている。さらに、高速遷移シーンからスロー動画記録終了時点までもフレームレートをｆ０ずつ、３００ｆｐｓになるまで低下させている。ここでは例として、ｔ０は１／８秒、ｆ０は６０フレームとしている。こうすることで、高速遷移シーンが最高速フレームレートで記録されることとなる。
【００５６】
間引き処理時のフレームメモリ１１０内は、図３（ｂ）、（ｃ）で示した模式図と同様のため、説明を省略する。
【００５７】
このように、撮影された時間が、高速遷移シーンに近い画像信号ほど、フレームレートが高くなるように段階的にフレームレートを上昇させることでスロー動画内にフレームレートの高低差ができる。そのため、フレームレートが高いフレーム付近が強調された動画となり、視聴者にとって着目点が分かりやすいスロー動画となる。
【００５８】
このように本実施形態によれば、高速遷移シーンが最高速フレームレートとなるようにフレームレートを段階的に変化させたスロー動画を生成することができる。そのため、高速遷移シーンが最もユーザが着目したい時点の場合においても、ユーザに対して着目点が分かりやすいスロー動画を提供することができる。
【００５９】
前述の実施形態ではいずれも、単位時間ごとにフレームレートを変化させたスロー動画を生成する構成としたが、単位時間は一定間隔でなくてもよい。例えば図９に示すように、最高速フレームレートあるいは最低速フレームレートで再生する期間は、他の各フレームレートで再生する間隔とは異なる期間としてもよい。
【００６０】
前述の実施形態ではいずれも、最高速フレームレートで再生するフレームをスロー動画撮影指示時点あるいは高速遷移シーンから自動で設定したが、ユーザによる指示により設定してもよい。例えば、動画信号処理部１１３による現像後、記録部１２３に記録したスロー動画を表示部１１６にて再生中に、ユーザが所望の時点で操作部１１５を操作することによって、最高速フレームレートで再生するフレームを指定してもよい。この場合、ユーザにより指定されたフレームを最高速フレームレートとする。他のフレームは、撮影された時間が指定されたフレームから遠いほどフレームレートが低くなるように、段階的にフレームレートを低下させたスロー動画を新規に生成し記録する。このようにすることで、最高速フレームレートで記録したスロー動画に加え、スロー動画内にフレームレートの高低差をつけたスロー動画を新規に作成してもよい。
【００６１】
前述の実施形態ではいずれも、フレームレートを段階的に変化させたスロー動画を記録できる構成としているが、スロー動画の全フレームを最高速フレームレートで記録するモードと切り替えられるようにしてもよい。
【００６２】
以上、本発明の好ましい実施形態について説明したが、本発明はこれらの実施形態に限定されず、その要旨の範囲内で種々の変形及び変更が可能である。
【図１】
2018195892.tif 000003
【図２】
2018195892.tif 000004
【図３】
2018195892.tif 000005
【図４】
2018195892.tif 000006
【図５】
2018195892.tif 000007
【図６】
2018195892.tif 000008
【図７】
2018195892.tif 000009
【図８】
2018195892.tif 000010
【図９】
2018195892.tif 000011